(57)【特許請求の範囲】
【請求項１】
内容液を収容する減容変形自在の内層体と、該内層体を内側に収容するとともに外気導入孔を備えた外層体とを有する容器本体と、
前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、
前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、
前記嵌合筒部に、前記容器本体の内部から前記吸引口に向けた内容液の流れを許容するとともに前記吸引口から前記容器本体の内部に向けた内容液の流れを阻止する逆止弁が設けられていることを特徴とするトリガー式液体噴出容器。
【請求項２】
前記装着部が前記口部の外周面を覆うキャップ状に形成されるとともに該装着部から突出する装着筒をさらに備え、前記装着キャップが前記装着筒に装着可能に構成されている請求項１に記載のトリガー式液体噴出容器。
【請求項３】
前記装着部が前記口部の開口端に配置されるフランジ状に形成され、前記装着キャップが前記口部に装着可能に構成されている請求項１に記載のトリガー式液体噴出容器。
【請求項４】
前記容器本体が、前記外層体の内面に前記内層体が剥離可能に積層された積層剥離容器である請求項１〜３の何れか１項に記載のトリガー式液体噴出容器。
【請求項５】
内容液を収容する減容変形自在の内層体と、該内層体を内側に収容するとともに外気導入孔を備えた外層体とを有する容器本体と、
前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、
前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、
前記装着部が前記口部の外周面を覆うキャップ状に形成されるとともに該装着部から突出する装着筒をさらに備え、前記装着キャップが前記装着筒に装着可能に構成されていることを特徴とするトリガー式液体噴出容器。
【請求項６】
内容液を収容する減容変形自在の内層体と、該内層体を内側に収容するとともに外気導入孔を備えた外層体とを有する容器本体と、
前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、
前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、
前記嵌合筒部に、前記装着キャップが前記口部または前記アダプタ部材に装着されたときに前記ポンプ部に押されて前記流出孔を閉塞する閉位置から前記流出孔を開放する開位置に移動する可動栓が装着されていることを特徴とするトリガー式液体噴出容器。
【請求項７】
内容液を収容する減容変形自在の内層体と、該内層体を内側に収容するとともに外気導入孔を備えた外層体とを有する容器本体と、
前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、
前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、
前記嵌合筒部に、弾性体により付勢されて前記流出孔を閉塞する閉位置に保持されるとともに前記装着キャップが前記口部または前記アダプタ部材に装着されたときに前記ポンプ部に押されて前記閉位置から前記流出孔を開放する開位置に移動する付勢式可動栓が装着されていることを特徴とするトリガー式液体噴出容器。
【発明の詳細な説明】
【技術分野】
【０００１】
本発明は、容器本体に収容されている内容液をトリガー式の液体噴出器により外部に噴出させるトリガー式液体噴出容器に関し、特に、正立姿勢だけでなく倒立姿勢や横倒し姿勢などの如何なる姿勢でも内容液を噴出することができるものに関する。
【背景技術】
【０００２】
従来から、例えばカビ取り剤や液体洗剤、衣料用糊剤、住居用ワックス、整髪剤、芳香剤、忌避剤、農薬などの薬品等の内容液を収容する容器として、トリガー式液体噴出容器が用いられている（例えば特許文献１）。
【０００３】
このようなトリガー式液体噴出容器としては、様々な場所に向けて容易に内容液を噴出させることができるようにするために、容器本体の口部を上方に向けた正立姿勢だけでなく、例えば容器本体の口部が下方を向く倒立姿勢や容器本体の口部が水平方向を向く横倒し姿勢などの如何なる姿勢でも内容液を噴出することができるようにしたものがある。
【０００４】
例えば特許文献１には、トリガー式の液体噴出器のポンプの吸引口に、容器本体が正立姿勢のときに容器本体の底部から内容液を吸引するためのチューブを接続するとともに、容器本体が倒立姿勢となったときに容器本体の口部周辺から内容液を吸引可能とする正倒立ユニットを設けたトリガー式液体噴出容器が記載されている。
【先行技術文献】
【特許文献】
【０００５】
【特許文献１】特開２０１６−２６９６０号公報
【発明の概要】
【発明が解決しようとする課題】
【０００６】
しかしながら、上記従来のトリガー式液体噴出容器では、正倒立ユニットは容器本体の姿勢によって移動するボール弁を用いて内容液を吸引する流路を切り替える構成であるので、容器本体の姿勢によって内容液の噴出量の差や噴出不良を生じ、また、内容液の残量が多くなるという問題点があった。
【０００７】
本発明は、このような問題点を解決することを課題とするものであり、その目的は、容器本体の姿勢に拘わらず内容液を良好に噴出することができ、しかも容器本体に残る内容液の残量を低減することができるトリガー式液体噴出容器を提供することにある。
【課題を解決するための手段】
【０００８】
本発明のトリガー式液体噴出容器は、内容液を収容する減容変形自在の内層体と、該内層体を内側に収容するとともに外気導入孔を備えた外層体とを有する容器本体と、前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、前記嵌合筒部に、前記容器本体の内部から前記吸引口に向けた内容液の流れを許容するとともに前記吸引口から前記容器本体の内部に向けた内容液の流れを阻止する逆止弁が設けられていることを特徴とする。
【０００９】
本発明のトリガー式液体噴出容器は、上記構成において、前記装着部が前記口部の外周面を覆うキャップ状に形成されるとともに該装着部から突出する装着筒をさらに備え、前記装着キャップが前記装着筒に装着可能に構成されているのが好ましい。
【００１０】
本発明のトリガー式液体噴出容器は、上記構成において、前記装着部が前記口部の開口端に配置されるフランジ状に形成され、前記装着キャップが前記口部に装着可能に構成されているのが好ましい。
【００１１】
本発明のトリガー式液体噴出容器は、上記構成において、前記容器本体が、前記外層体の内面に前記内層体が剥離可能に積層された積層剥離容器であるのが好ましい。
【００１２】
本発明のトリガー式液体噴出容器は、内容液を収容する減容変形自在の内層体と、該内層体を内側に収容するとともに外気導入孔を備えた外層体とを有する容器本体と、前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、前記装着部が前記口部の外周面を覆うキャップ状に形成されるとともに該装着部から突出する装着筒をさらに備え、前記装着キャップが前記装着筒に装着可能に構成されていることを特徴とする。
【００１３】
本発明のトリガー式液体噴出容器は、内容液を収容する減容変形自在の内層体と、該内層体を内側に収容するとともに外気導入孔を備えた外層体とを有する容器本体と、前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、前記嵌合筒部に、前記装着キャップが前記口部または前記アダプタ部材に装着されたときに前記ポンプ部に押されて前記流出孔を閉塞する閉位置から前記流出孔を開放する開位置に移動する可動栓が装着されていることを特徴とする。
【００１４】
本発明のトリガー式液体噴出容器は、内容液を収容する減容変形自在の内層体と、該内層体を内側に収容するとともに外気導入孔を備えた外層体とを有する容器本体と、前記容器本体の口部に装着される装着部と、前記装着部に支持されて前記容器本体の内部に配置される嵌合筒部と、該嵌合筒部の内部を前記容器本体の内部に連ねる内容液の流出孔とを備えたアダプタ部材と、前記口部または前記アダプタ部材に装着される装着キャップと、該装着キャップに設けられた支持部に回動自在に支持されたトリガーと、前記装着キャップに支持され、前記トリガーの牽曳操作によって駆動されるとともに前記嵌合筒部の内側に嵌合して吸引口が前記流出孔に連通するポンプ部と、該ポンプ部の吐出口に接続されたノズルとを備えたトリガー式の液体噴出器と、を有し、前記嵌合筒部に、弾性体により付勢されて前記流出孔を閉塞する閉位置に保持されるとともに前記装着キャップが前記口部または前記アダプタ部材に装着されたときに前記ポンプ部に押されて前記閉位置から前記流出孔を開放する開位置に移動する付勢式可動栓が装着されていることを特徴とする。
【発明の効果】
【００１６】
本発明によれば、容器本体の姿勢に拘わらず内容液を良好に噴出することができ、しかも容器本体に残る内容液の残量を低減することができるトリガー式液体噴出容器を提供することができる。
【図面の簡単な説明】
【００１７】
【図１】本発明の一実施の形態であるトリガー式液体噴出容器の断面図である。
【図２】（ａ）、（ｂ）は、それぞれ図１に示すトリガー式液体噴出容器の変形例であって、嵌合筒部に逆止弁を設けた場合の拡大断面図である。
【図３】図１に示すトリガー式液体噴出容器の変形例であって、アダプタ部材を中栓に構成した場合の断面図である。
【図４】図１に示すトリガー式液体噴出容器の、嵌合筒部に可動栓を設けた場合の変形例を、トリガー式の液体噴出器が容器本体に組み付けられる前の状態で示す断面図である。
【図５】図４に示すトリガー式液体噴出容器を、トリガー式の液体噴出器が容器本体に組み付けられた状態で示す断面図である。
【図６】図４に示すトリガー式液体噴出容器の、アダプタ部材を中栓に構成した場合の変形例を、トリガー式の液体噴出器が容器本体に組み付けられる前の状態で示す断面図である。
【図７】図６に示すトリガー式液体噴出容器を、トリガー式の液体噴出器が容器本体に組み付けられた状態で示す断面図である。
【図８】図１に示すトリガー式液体噴出容器の、嵌合筒部に脱落栓を設けた場合の変形例を、トリガー式の液体噴出器が容器本体に組み付けられる前の状態で示す断面図である。
【図９】図８に示すトリガー式液体噴出容器を、トリガー式の液体噴出器が容器本体に組み付けられた状態で示す断面図である。
【図１０】図１に示すトリガー式液体噴出容器の、嵌合筒部に付勢式可動栓を設けた場合の変形例を、トリガー式の液体噴出器が容器本体に組み付けられる前の状態で示す要部拡大断面図である。
【図１１】図１０に示すトリガー式液体噴出容器を、トリガー式の液体噴出器が容器本体に組み付けられた状態で示す要部拡大断面図である。
【発明を実施するための形態】
【００１８】
以下、図面を参照して本発明をより詳細に例示説明する。
【００１９】
図１に示す本発明の一実施の形態であるトリガー式液体噴出容器１は、例えばカビ取り剤や液体洗剤、衣料用糊剤、住居用ワックス、整髪剤、芳香剤、忌避剤、農薬などの薬品等の内容液を収容する用途に用いることができるものであり、容器本体１０、アダプタ部材２０及びトリガー式の液体噴出器３０を有している。
【００２０】
容器本体１０は、内容液を収容する内層体１１と、内層体１１を内側に収容する外層体１２とを有し、外層体１２の内面に内層体１１が剥離可能に積層された積層剥離容器（二重容器）に構成されている。なお、図１には、内層体１１が減容変形して外層体１２から剥離した状態を示している。
【００２１】
このような容器本体１０としては、例えば積層構造のプリフォームを二軸延伸ブロー成形し、または積層構造のパリソンをダイレクトブロー成形することによって形成されたものを採用することができる。この場合、内層体１１の材質はエチレン―ビニルアルコール共重合樹脂（ＥＶＯＨ）やナイロン等とすることができ、外層体１２の材質はポリエチレン（ＰＥ）やポリプロピレン（ＰＰ）等とすることができるが、他の材質を用いることも可能である。
【００２２】
なお、容器本体１０としては、積層剥離容器に限らず、内層体１１と外層体１２とを有する二重容器であれば、例えば外層体１２の内側に内層体１１を組み込んだ構成のものなど種々の構成のものを採用することができる。
【００２３】
内層体１１は、例えば合成樹脂材料により薄肉で減容変形自在の袋状に形成され、その内側に内容液を収容する収容空間１１ａを備えている。
【００２４】
外層体１２は、例えば合成樹脂材料により口部１２ａと口部１２ａに連なる胴部１２ｂとを備えたボトル形状に形成され、所定の剛性を有して容器本体１０の外郭を構成している。口部１２ａは円筒状に形成されており、その外周面には雄ねじ１２ｃが一体に設けられている。詳細は図示しないが、外層体１２には、外層体１２を貫通して内層体１１と外層体１２との間の隙間に連通する外気導入孔が設けられている。図示する場合では、外気導入孔は、外層体１２の底部に設けられたピンチオフにスリット状に設けられているが、これに限らず、例えば口部１２ａや胴部１２ｂ等の他の部位に設けることもできる。
【００２５】
アダプタ部材２０は容器本体１０に液体噴出器３０を適合させるものであり、装着部２１、嵌合筒部２２、流出孔２３及び装着筒２４を備えている。
【００２６】
装着部２１は口部１２ａの外周面を覆うキャップ状に形成されており、その内周面に設けられた雌ねじ２１ａにおいて雄ねじ１２ｃにねじ結合している。このように、アダプタ部材２０は装着部２１において口部１２ａに着脱可能に装着されている。装着部２１には口部１２ａの開口の一部を覆う隔壁２１ｂが一体に設けられ、この隔壁２１ｂの内周縁から図中下方（容器本体１０の内部）に向けて突出するように嵌合筒部２２が一体に連ねられている。つまり、嵌合筒部２２は隔壁２１ｂを介して装着部２１に支持されて容器本体１０の内部に配置されている。嵌合筒部２２は所定形状の段差部２２ａを有する円筒状に形成され、装着部２１と同軸に配置されている。なお、符号２１ｃは、口部１２ａの内周面に液密に嵌合するシール筒である。
【００２７】
流出孔２３は嵌合筒部２２の下端部分に設けられている。図示する場合には、嵌合筒部２２の下端には底壁２２ｂが一体に設けられ、嵌合筒部２２の側壁部分から底壁２２ｂに跨るように一対の流出孔２３が設けられている。これらの流出孔２３により、嵌合筒部２２の内部が容器本体１０の内部つまり収容空間１１ａに連ねられている。
【００２８】
装着筒２４は装着部２１よりも小径の円筒状に形成され、装着部２１と同軸に配置されて装着部２１ないし隔壁２１ｂの上面から上方に向けて突出している。装着筒２４の外周面には雄ねじ２４ａが一体に設けられている。
【００２９】
トリガー式の液体噴出器３０は容器本体１０の収容空間１１ａに収容された内容液を外部に噴出させるものであり、装着キャップ３１、トリガー３２、ポンプ部３３及びノズル３４を備えている。
【００３０】
装着キャップ３１は内周面に雌ねじ３１ａを有し、この雌ねじ３１ａが装着筒２４に設けられた雄ねじ２４ａにねじ結合することによりアダプタ部材２０に装着されている。つまり、液体噴出器３０は装着キャップ３１においてアダプタ部材２０に着脱自在に装着され、当該アダプタ部材２０を介して容器本体１０に固定されている。
【００３１】
装着キャップ３１の上端側には、先細の円筒形状に形成された収容筒３５が装着キャップ３１と一体且つ同軸に設けられている。また、装着キャップ３１には、当該装着キャップ３１の上端と収容筒３５の側壁部分から斜め上方に向けて延びる断面コの字形状の支持部３６が一体に設けられている。なお、支持部３６の背面壁３６ａは、この液体噴出器３０を手で持ってトリガー３２を把持する際に支持部となる部分である。
【００３２】
トリガー３２は、断面コの字でＬ字に曲がったレバー形状に形成されており、その基端部分において支軸３７により支持部３６に回動自在に支持されている。トリガー３２の上面には貫通孔３２ａが設けられている。
【００３３】
ポンプ部３３は装着キャップ３１と同軸の円筒状に形成されたシリンダ３３ａを有している。シリンダ３３ａはその上端側部分において収容筒３５の内側に嵌合固定され、これによりポンプ部３３は装着キャップ３１に支持されている。シリンダ３３ａの内部にはピストン３３ｂが装着されている。ピストン３３ｂはエラストマー等の弾性部材によって断面略Ｈ形状で且つ環状に形成されており、シリンダ３３ａの軸心に配置された軸体３３ｃに沿ってシリンダ３３ａの内部で上下方向に移動自在となっている。また、シリンダ３３ａの内部にはスプリング３３ｄが配置されており、このスプリング３３ｄによりピストン３３ｂは上方に向けて付勢されている。
【００３４】
シリンダ３３ａの下端部分はアダプタ部材２０の嵌合筒部２２の段差部２２ａに対応した形状に形成されており、嵌合筒部２２の段差部２２ａの内側に嵌合している。また、シリンダ３３ａの下端には円筒状の吸引筒３３ｅが一体に設けられ、この吸引筒３３ｅは段差部２２ａの下方側において嵌合筒部２２の内側に密に嵌合している。吸引筒３３ｅの下端はポンプ部３３の吸引口３３ｆとなっており、この吸引口３３ｆは流出孔２３に連通している。したがって、ポンプ部３３が作動したときに、容器本体１０の収容空間１１ａに収容されている内容液を流出孔２３と吸引口３３ｆとを通してポンプ部３３の内部に吸引することができる。
【００３５】
シリンダ３３ａと吸引筒３３ｅとの間にはボール式の逆止弁３８が設けられ、この逆止弁３８により、ピストン３３ｂが下降動作（加圧動作）したときにシリンダ３３ａの内部の内容液が吸引口３３ｆに向けて逆流することが防止される。
【００３６】
図２示すように、嵌合筒部２２に逆止弁４０を設けた構成とすることもできる。この逆止弁４０は、容器本体１０の内部（収容空間１１ａ）から流出孔２３を通って吸引口３３ｆに向かう内容液の流れを許容するとともに、吸引口３３ｆから流出孔２３を通って容器本体１０の内部に向けた内容液の流れを阻止するものである。
【００３７】
図２（ａ）に示す場合では、逆止弁４０の弁本体４０ａは逆スカート形状に形成され、その外周縁部が嵌合筒部２２の内周面に当接する構成となっている。弁本体４０ａには係止部４０ｂが一体に設けられ、この係止部４０ｂが逆止弁４０は底壁２２ｂに形成された係止孔４１に圧入、係止されることで嵌合筒部２２に固定されている。
【００３８】
一方、図２（ｂ）に示す場合では、弁本体４０ａは円板状に形成され、底壁２２ｂに設けられた流出孔２３の上端開口に当接して当該流出孔２３を閉塞する構成となっている。この場合、係止部４０ｂは円筒状に形成され、嵌合筒部２２に形成された溝部４２に嵌合固定されている。そして、弁本体４０ａは３本の弾性変形自在のアーム部４０ｃによって係止部４０ｂに連結されている。つまり、図２（ｂ）に示す場合には、逆止弁４０は３点弁に構成されている。
【００３９】
なお、逆止弁４０は、上記構成に限らず、種々の構成のものを用いることができる。
【００４０】
嵌合筒部２２に逆止弁４０を設けることにより、ピストン３３ｂの下降動作（加圧動作）の終了時における空気や内容液の吸引口３３ｆから容器本体１０の収容空間１１ａに向けた逆流をより確実に防止することができる。なお、嵌合筒部２２に逆止弁４０を設けた場合には、トリガー式の液体噴出器３０として、シリンダ３３ａと吸引筒３３ｅとの間にボール式の逆止弁３８を備えない構成のものを用いることもできる。
【００４１】
ピストン３３ｂの上端には円筒状のステム３９が装着されている。ステム３９の上端には略側方に向けて延びる筒体４３が一体に連ねられており、この筒体４３はトリガー３２の貫通孔３２ａを貫通してトリガー３２の外側に突出し、その先端にノズル３４が装着されている。ステム３９及び筒体４３の内部には、ポンプ部３３のピストン３３ｂと軸体３３ｃとの隙間に形成された吐出口４４とノズル３４とを接続ないし連通させる流路４５が設けられており、ポンプ部３３から吐出された内容液はこの流路４５を通ってノズル３４から外部に噴出される。
【００４２】
なお、流路４５とノズル３４との間には、流路４５からノズル３４に向けた内容液の流れを許容するとともにノズル３４から流路４５に向けた内容液の流れを阻止する逆止弁４６が装着されている。
【００４３】
トリガー３２は、その中間部位において連結ピン４７によりステム３９に連結されている。これにより、トリガー３２を引くことでステム３９つまりピストン３３ｂを下方に向けて作動させ、ポンプ部３３を吐出動作させてシリンダ３３ａの内部の内容液をノズル３４から外部に噴出させることができる。トリガー３２の引き動作を解除すると、スプリング３３ｄの弾性力によってピストン３３ｂが初期位置に復帰し、これに伴い、容器本体１０の収容空間１１ａに収容された内容液を、流出孔２３を介して吸引口３３ｆからシリンダ３３ａの内部に吸引することができる。このように、トリガー３２の牽曳操作によってポンプ部３３を駆動して内容液をノズル３４から噴出させることができる。
【００４４】
また、本発明のトリガー式液体噴出容器１では、容器本体１０として二重容器を用いるようにしているので、容器本体１０に収容される内容液の残量が減っても、これに伴い内層体１１が減容変形することにより、内層体１１の内部が常に内容液で満たされた状態となる。したがって、このトリガー式液体噴出容器１では、容器本体１０の口部１２ａが上方を向く正立姿勢だけでなく倒立姿勢や横倒し姿勢などの如何なる姿勢としても、収容空間１１ａに収容された内容液をアダプタ部材２０に設けられた流出孔２３を通して吸引口３３ｆから確実にシリンダ３３ａの内部に吸引して、ノズル３４から外部に向けて噴出させることができる。
【００４５】
また、上述のように、容器本体１０に収容される内容液の残量が減っても、これに伴い内層体１１が減容変形して内層体１１の内部が常に内容液で満たされた状態となるので、容器本体１０の姿勢に拘わらず常に容器本体１０に収容される内容液をポンプ部３３により効果的に吸引して、一定の噴出量で良好に内容液を噴出させることができるとともに、容器本体１０に残る内容液の残量を低減させることができる。
【００４６】
さらに、本実施の形態では、アダプタ部材２０をキャップ状に形成された装着部２１の上方に装着筒２４を設け、この装着筒２４にトリガー式の液体噴出器３０を装着する構成としたので、容器本体１０の内部への嵌合筒部２２の突出量を低減させて、容器本体１０に残る内容液の残量をさらに低減させることができる。
【００４７】
さらに、容器本体１０の口部１２ａにアダプタ部材２０を装着し、このアダプタ部材２０の嵌合筒部２２の内側にポンプ部３３を密に嵌合させる構成としたので、ポンプ部３３はその吸引口３３ｆの部分によってのみ内容液に触れて外周面が内容液に触れることがない。したがって、液体噴出器３０を容器本体１０から取り外したときに、ポンプ部３３の外周面から内容液が垂れ落ちるのを防止することができる。
【００４８】
さらに、容器本体１０の口部１２ａにアダプタ部材２０を装着し、このアダプタ部材２０の嵌合筒部２２の内側にポンプ部３３を密に嵌合させる構成とすることで、ポンプ部３３の吸引口３３ｆのみが容器本体１０の内層体１１の内部に連通する構成としたので、トリガー式の液体噴出器３０として二重容器ではない通常の容器本体に装着して用いられる既存のものを用いることができる。すなわち、二重容器ではない通常の容器本体に装着して用いられる既存の液体噴出器３０は、図１に示すように、ポンプ部３３のシリンダ３３ａの側面にスリットＳが設けられている。このような構成により、内容液が噴出されたときに収容筒３５の先端からスリットＳを介して容器本体の内部に外気を取り込むことができるようにして、内容液の噴出後に容器本体の内部が減圧することを防止するようにしている。しかし、このような構成の液体噴出器３０を二重容器に構成された容器本体１０に用いると、内容液の噴出に伴って内層体１１の内部に外気が導入されることになり、二重容器としての機能が損なわれることになる。これに対して、本発明では、アダプタ部材２０の嵌合筒部２２の内側にポンプ部３３を密に嵌合させる構成としているので、スリットＳと内層体１１との間を遮断して内層体１１の内部に外気が導入されるのを防止することができる。したがって、本発明に用いるトリガー式の液体噴出器３０として、二重容器ではない通常の容器本体に装着して用いられる既存のものを用いることができる。
【００４９】
なお、二重容器ではない通常の容器本体に装着して用いられる既存のトリガー式の液体噴出器３０として、シリンダ３３ａの側面にスリットＳが設けられた構成に限らず、他の部位に外気を導入するための孔ないしスリット等を設けた構成のものを採用することもできる。また、本発明に用いるトリガー式の液体噴出器３０として、上記したスリットＳや他の孔等が設けられない構成のものを用いることもできる。
【００５０】
図３は図１に示すトリガー式液体噴出容器の変形例であって、アダプタ部材を中栓に構成した場合の断面図である。なお、図３に示すトリガー式液体噴出容器１の基本的な構成は図１に示すものと同一であるので、以下ではその相違部分についてのみ説明する。
【００５１】
図３に示す変形例のトリガー式液体噴出容器１では、アダプタ部材２０が中栓に構成されている。すなわち、この変形例では、アダプタ部材２０は、装着部２１がフランジ状に形成されて口部１２ａの開口端（上端）に重ねて配置されるとともに嵌合筒部２２の上端側部分が口部１２ａの内周面に嵌合することで口部１２ａに装着されている。なお、符号５０は装着部２１と口部１２ａの上端との間を液密にシールするリングシールである。
【００５２】
嵌合筒部２２は図１に示す場合よりも縦長の形状となり、トリガー式の液体噴出器３０のポンプ部３３は図１に示す場合よりも大きな範囲で嵌合筒部２２に嵌合される。また、装着部２１がフランジ状に形成されて口部１２ａの開口端に配置されているので、液体噴出器３０の装着キャップ３１は口部１２ａに装着されている。したがって、このトリガー式液体噴出容器１の高さ寸法を図１に示す場合に比べて低くすることができる。
【００５３】
この変形例においても、図１に示す場合と同様に、容器本体１０を正立姿勢だけでなく倒立姿勢や横倒し姿勢などの如何なる姿勢としても、その収容空間１１ａに収容された内容液をアダプタ部材２０に設けられた流出孔２３を通して吸引口３３ｆから確実にシリンダ３３ａの内部に吸引して、ノズル３４から外部に向けて噴出させることができ、また、一定の噴出量で良好に内容液を噴出させることができるとともに、容器本体１０に残る内容液の残量を低減させることができる。
【００５４】
図４は図１に示すトリガー式液体噴出容器の、嵌合筒部に可動栓を設けた場合の変形例を、トリガー式の液体噴出器が容器本体に組み付けられる前の状態で示す断面図であり、図５は図４に示すトリガー式液体噴出容器を、トリガー式の液体噴出器が容器本体に組み付けられた状態で示す断面図である。また、図６は図４に示すトリガー式液体噴出容器の、アダプタ部材を中栓に構成した場合の変形例を、トリガー式の液体噴出器が容器本体に組み付けられる前の状態で示す断面図であり、図７は図６に示すトリガー式液体噴出容器を、トリガー式の液体噴出器が容器本体に組み付けられた状態で示す断面図である。なお、図４、図５に示すトリガー式液体噴出容器１の基本的な構成は図１に示すものと同一であり、図６、図７に示すトリガー式液体噴出容器１の基本的な構成は図３に示すものと同一であるので、以下ではその相違部分についてのみ説明する。
【００５５】
図４に示す変形例では、図１に示す構成に対して、嵌合筒部２２の下端に底壁２２ｂが設けられず、嵌合筒部２２の下端開口が流出孔２３とされるとともに、嵌合筒部２２の下端部分に可動栓６０が装着されている点が相違している。
【００５６】
可動栓６０は、嵌合筒部２２の下端開口つまり流出孔２３を閉塞する円板状の栓本体部６０ａと、栓本体部６０ａの上面から一体に突出する円柱状の挿通部６０ｂとを有している。挿通部６０ｂの外周面には複数本（図示する場合は３本）の切欠き溝６０ｃが軸方向に沿って延びて設けられ、これらの切欠き溝６０ｃは挿通部６０ｂの上端に開放されている。なお、切欠き溝６０ｃの本数は任意に設定することができる。
【００５７】
図４に示すように、初期状態では、可動栓６０は、挿通部６０ｂが嵌合筒部２２の下端開口から嵌合筒部２２の内部に挿通され、栓本体部６０ａが嵌合筒部２２の下端に当接して流出孔２３を閉塞する閉位置にある。この状態では可動栓６０によって流出孔２３が閉塞されているので、液体噴出器３０が装着されない状態でも容器本体１０の内部に収容された内容液が外部に漏れ出すことがない。したがって、この変形例の構成によれば、内容液を収容した容器本体１０の口部１２ａに可動栓６０を備えたアダプタ部材２０を装着した状態のものを、付替え容器として流通させることができる。流通時には、可動栓６０が脱落することを防止するために、アダプタ部材２０の装着筒２４に保護キャップ６１を装着するのが好ましい。このような構成により、内容液を使い切った後、液体噴出器３０を空になった容器本体１０から取り外し、新たな付替え容器（内容液が収容されている容器本体１０）に付け替えることで、新たな液体噴出器３０を用いることを不要とすることができる。
【００５８】
また、上述のように、容器本体１０の口部１２ａにアダプタ部材２０を装着し、このアダプタ部材２０の嵌合筒部２２の内側にポンプ部３３を嵌合させる構成とすることにより、ポンプ部３３はその吸引口３３ｆの部分によってのみ内容液に触れて外周面が内容液に触れることがないので、液体噴出器３０を新たな付替え容器に付け替える際に、ポンプ部３３の外周面から内容液が垂れ落ちるのを防止することができる。
【００５９】
図５に示すように、装着キャップ３１が装着筒２４に装着されて付替え容器となる容器本体１０に液体噴出器３０が装着されると、可動栓６０が嵌合筒部２２の内側に嵌合するポンプ部３３の吸引筒３３ｅにより押されて閉位置から下方に向けて移動し、開位置となる。可動栓６０が開位置となると、挿通部６０ｂに形成された切欠き溝６０ｃを通して容器本体１０の収容空間１１ａと吸引口３３ｆとが連通され、つまり流出孔２３は開放状態とされる。これにより、トリガー３２を操作してポンプ部３３を作動させることで、収容空間１１ａに収容された内容液をポンプ部３３のシリンダ３３ａの内部に吸引して、ノズル３４から外部に噴出させることができる。
【００６０】
図６に示す変形例は、図５に示す変形例に対して、アダプタ部材２０が中栓に構成されている点が相違している。この場合においても、図４に示す場合と同様に、嵌合筒部２２の下端開口が流出孔２３とされるとともに、嵌合筒部２２の下端部分に図４に示すのと同様の構成の可動栓６０が装着されている。したがって、この変形例においても、内容液を収容した容器本体１０の口部１２ａに可動栓６０を備えたアダプタ部材２０を装着した状態のものを、付替え容器として流通させることができるとともに、図７に示すように、装着キャップ３１が容器本体１０の口部１２ａに装着されて付替え容器となる容器本体１０に液体噴出器３０が装着することで可動栓６０を開位置として、トリガー３２の操作により収容空間１１ａに収容されている内容液をノズル３４から外部に噴出させることができる。また、流通時には、可動栓６０が脱落することを防止するために、容器本体１０の口部１２ａに保護キャップ６１を装着することができる。
【００６１】
図８は図１に示すトリガー式液体噴出容器の、嵌合筒部に脱落栓を設けた場合の変形例を、トリガー式の液体噴出器が容器本体に組み付けられる前の状態で示す断面図であり、図９は図８に示すトリガー式液体噴出容器を、トリガー式の液体噴出器が容器本体に組み付けられた状態で示す断面図である。なお、図８、図９に示すトリガー式液体噴出容器１の基本的な構成は図４、図５に示すものと同一であり、嵌合筒部２２に可動栓６０に替えて脱落栓７０を装着した点が相違するので、以下では当該相違部分について説明する。
【００６２】
図示する場合では、脱落栓７０は球形に形成され、嵌合筒部２２の内部に嵌合固定されて流出孔２３を閉塞している。したがって、この変形例においても、内容液を収容した容器本体１０の口部１２ａに脱落栓７０を備えたアダプタ部材２０を装着した状態のものを、付替え容器として流通させることができる。また、流通時には、脱落栓７０が脱落することを防止するために、アダプタ部材２０の装着筒２４に保護キャップ６１を装着することができる。
【００６３】
一方、図９に示すように、装着キャップ３１が装着筒２４に装着されて付替え容器となる容器本体１０に液体噴出器３０が装着されると、脱落栓７０が嵌合筒部２２の内側に嵌合するポンプ部３３の吸引筒３３ｅにより押されて嵌合筒部２２から収容空間１１ａに脱落し、流出孔２３が開放状態とされる。これにより、トリガー３２の操作により収容空間１１ａに収容されている内容液をノズル３４から外部に噴出させることができる。
【００６４】
嵌合筒部２２の下端開口には、切欠き凹部７１が形成されている。切欠き凹部７１を設けることにより、嵌合筒部２２から脱落した脱落栓７０が不意に嵌合筒部２２の下端開口に当接した場合であっても、流出孔２３が脱落栓７０により閉塞されることなく内容液の流路を確保することができる。これにより、このトリガー式液体噴出容器１の作動信頼性を高めることができる。
【００６５】
なお、本実施の形態では脱落栓７０を球形のものとしたが、これに限らず、嵌合筒部２２の内部に嵌合して流出孔２３を閉塞することができるとともにポンプ部３３に押されて嵌合筒部２２から脱落できる形状であれば、例えば円柱形状や俵形状など、その形状は種々変更可能である。
【００６６】
図１０は図１に示すトリガー式液体噴出容器の、嵌合筒部に付勢式可動栓を設けた場合の変形例を、トリガー式の液体噴出器が容器本体に組み付けられる前の状態で示す要部拡大断面図であり、図１１は図１０に示すトリガー式液体噴出容器を、トリガー式の液体噴出器が容器本体に組み付けられた状態で示す要部拡大断面図である。なお、図８、図９に示すトリガー式液体噴出容器１の基本的な構成は図４、図５に示すものと同一であり、嵌合筒部２２に可動栓６０に替えて付勢式可動栓８０を装着した点が相違するので、以下では当該相違部分について説明する。
【００６７】
付勢式可動栓８０は、嵌合筒部２２の内周面に形成された傾斜段部８１に当接する傾斜した面を有する当接部８０ａと当接部８０ａの上面から一体に突出する円柱状の挿通部８０ｂとを有している。当接部８０ａの外径は嵌合筒部２２の内径よりも僅かに小さくされ、嵌合筒部２２の内周面との間に隙間を有している。挿通部８０ｂの外周面には複数本（図示する場合は２本）の切欠き溝８０ｃが軸方向に沿って延びて設けられ、これらの切欠き溝８０ｃは挿通部８０ｂの上端に開放されている。なお、切欠き溝８０ｃの本数は任意に設定することができる。一方、嵌合筒部２２の下端開口には支持体８２が嵌合固定されており、この支持体８２と当接部８０ａの間には弾性体８３が装着されている。図示する場合は弾性体８３としてスプリングが用いられている。
【００６８】
図１０に示すように、初期状態においては、付勢式可動栓８０は弾性体８３により上方に向けて付勢され、当接部８０ａが傾斜段部８１に当接して流出孔２３を閉塞する閉位置に保持されている。したがって、この変形例においても、内容液を収容した容器本体１０を付替え容器として流通させることができる。
【００６９】
一方、装着キャップ３１が装着筒２４に装着されて付替え容器となる容器本体１０に液体噴出器３０が装着されると、図１１に示すように、付勢式可動栓８０が嵌合筒部２２の内側に嵌合する吸引筒３３ｅにより押され、弾性体８３の弾性力に抗して、当接部８０ａが傾斜段部８１から離れる開位置にまで移動する。これにより、当接部８０ａと傾斜段部８１との隙間と切欠き溝８０ｃとを通して流出孔２３が開放され、トリガー３２の操作により収容空間１１ａに収容されている内容液をノズル３４から外部に噴出させることができるようになる。
【００７０】
本発明は前記実施の形態に限定されるものではなく、その要旨を逸脱しない範囲で種々変更可能であることはいうまでもない。
【００７１】
例えば、ポンプ部３３の構成は上記構成に限らず、トリガー３２により駆動されて容器本体１０の収容空間１１ａに収容された内容液をノズル３４に圧送することができるものであれば、種々の構成のものを用いることができる。
【符号の説明】
【００７２】
１    トリガー式液体噴出容器
１０    容器本体
１１    内層体
１１ａ  収容空間
１２    外層体
１２ａ  口部
１２ｂ  胴部
１２ｃ  雄ねじ
２０    アダプタ部材
２１    装着部
２１ａ  雌ねじ
２１ｂ  隔壁
２１ｃ  シール筒
２２    嵌合筒部
２２ａ  段差部
２２ｂ  底壁
２３    流出孔
２４    装着筒
２４ａ  雄ねじ
３０    液体噴出器
３１    装着キャップ
３１ａ  雌ねじ
３２    トリガー
３２ａ  貫通孔
３３    ポンプ部
３３ａ  シリンダ
３３ｂ  ピストン
３３ｃ  軸体
３３ｄ  スプリング
３３ｅ  吸引筒
３３ｆ  吸引口
３４    ノズル
３５    収容筒
３６    支持部
３６ａ  背面壁
３７    支軸
３８    逆止弁
３９    ステム
４０    逆止弁
４０ａ  弁本体
４０ｂ  係止部
４０ｃ  アーム部
４１    係止孔
４２    溝部
４３    筒体
４４    吐出口
４５    流路
４６    逆止弁
４７    連結ピン
５０    リングシール
６０    可動栓
６０ａ  栓本体部
６０ｂ  挿通部
６０ｃ  切欠き溝
６１    保護キャップ
７０    脱落栓
７１    切欠き凹部
８０    付勢式可動栓
８０ａ  当接部
８０ｂ  挿通部
８０ｃ  切欠き溝
８１    傾斜段部
８２    支持体
８３    弾性体
Ｓ    スリット
【図１】
0006604876.tif 000002
【図２】
0006604876.tif 000003
【図３】
0006604876.tif 000004
【図４】
0006604876.tif 000005
【図５】
0006604876.tif 000006
【図６】
0006604876.tif 000007
【図７】
0006604876.tif 000008
【図８】
0006604876.tif 000009
【図９】
0006604876.tif 000010
【図１０】
0006604876.tif 000011
【図１１】
0006604876.tif 000012